(57)【要約】【課題】  建築現場等における対象物に光ビームを照射して施工の基準となる垂直ラインや水平ラインを表示するために使用されるビーム式墨出し装置であって、ビーム投射器を正確な位置及び角度で固定・保持でき、投射方向の調整も簡単に行うことができるレーザー墨出し装置を提供すること。【解決手段】  光ビームを投射するビーム投射器と、該ビーム投射器が嵌合する取付穴を円周方向に沿って複数個穿孔した概略カップ状の保持体とを備え、前記ビーム投射器を前記保持体の取付穴に嵌合保持させる。具体的には、保持体に垂直方向のビーム投射器取付穴と、水平方向のビーム投射器取付穴とを設けたこと。【選択図】  図４
2005331351.tif 000002
【特許請求の範囲】
【請求項１】
対象物に光ビームを投射して基準となる垂直方向のラインや水平方向のラインを表示する墨出し装置であって、光ビームを投射するビーム投射器と、該ビーム投射器が嵌合する取付穴を円周方向に沿って複数個穿孔した概略カップ状の保持体とを備え、前記ビーム投射器を前記保持体の取付穴に嵌合固定したことを特徴とするレーザー墨出し装置。
【請求項２】
保持体に垂直方向のラインを表示する垂直ビーム投射器を嵌合する傾斜した取付穴と、水平方向のラインを表示する水平ビーム投射器を嵌合する水平な取付穴とが設けられている請求項１に記載のレーザー墨出し装置。
【請求項３】
保持体の円周上に、垂直ビーム投射器を嵌合する取付穴が９０度間隔で４個穿孔され、該垂直ビーム投射器取付穴の間隔部に水平ビーム投射器を嵌合する取付穴が４個穿孔されている請求項２に記載のレーザー墨出し装置。
【請求項４】
垂直ビーム投射器取付穴及び水平ビーム投射器取付穴には、保持体の外面から該取付穴の内壁面に通ずる垂直ビーム投射器姿勢調整用ねじ部及び水平ビーム投射器姿勢調整用ねじ部がそれぞれ設けられてなる請求項１乃至３のいずれかに記載のレーザー墨出し装置。
【請求項５】
垂直ビーム投射器姿勢調整用ねじ部は、垂直ビーム投射器を取付穴内において周方向に調整するための周方向調整用ねじ部と垂直ビーム投射器を左右水平方向に調整するための水平方向調整用ねじ部とからなる請求項４に記載のレーザー墨出し装置。
【請求項６】
水平ビーム投射器姿勢調整用ねじ部は、水平ビーム投射器を取付穴内において周方向に調整するための周方向調整用ねじ部と、水平ビーム投射器を上下に調整するための上下方向調整用ねじ部とからなる請求項４に記載のレーザー墨出し装置。
【発明の詳細な説明】
【技術分野】
【０００１】
本発明は、建築現場等において、対象物に光ビームを投射して基準となる垂直ラインや水平ラインを表示するために使用されるレーザー墨出し装置に関するものである。
【背景技術】
【０００２】
建築現場等では、施工の基準となる垂直ラインや水平ラインをレーザービームによって天井や壁や床等に表示するレーザービーム墨出し装置が使用されている。この種の墨出し装置としては、種々のものが提案されているが、その中には、例えば特許文献１に示すように、種々の組み合わせを持った所望の墨出しラインを選択して対象物に表示できるようにしたものもある。
【０００３】
【特許文献１】特開２００４−２８７７９号公報
【０００４】
上記特許文献１に開示されているものは、釣鐘状の本体部の外周部に設けられている取付面にレーザービームを照射する光源部をねじで着脱自在に取り付けるものであり、所望の墨出しラインを全方位にわたって表示でき、応用範囲の広い墨出し作業が可能で、光源部の交換、取り替え等も容易であるとされている。
【発明の開示】
【発明が解決しようとする課題】
【０００５】
上記特許文献１に記載のレーザー墨出し装置において、釣鐘状の本体部に設けられている取付用の面に光源部を着脱自在に取り付ける方法としては、光源部の基部に設けられた４個のねじ穴に挿通したねじで本体部の取付面に固定するように図示されている。しかしながら、このような取付方法では、着脱作業に手間がかかり、しかも取付部の加工誤差等により、ガタ等が生じて、照射部を正確に取り付けるのが困難である。また、釣鐘状の本体部に光源部を取り付けるようにしているため、複数のレーザー光の調整時に正確な基準面が無く、複数のレーザー投射部の調整が困難で時間を要するという問題点がある。
【０００６】
本発明は、上記従来公知の墨出し装置の問題点を改良するもので、レーザー投射器を本体に簡単かつ正確に取り付けることができ、投射方向の調整も比較的簡単で、所望の墨出しラインを表示することのできる墨出し装置を提供することを課題としている。
【課題を解決するための手段】
【０００７】
上記課題を解決するため、請求項１に係る発明は、実施形態に示す参照符号を付して示すと、対象物に光ビームを投射して基準となる垂直方向のラインや水平方向のラインを表示する墨出し装置であって、光ビームを投射するビーム投射器１と、該ビーム投射器１が嵌合する取付穴２を円周方向に沿って複数個穿孔した概略カップ状の保持体３とを備え、前記ビーム投射器１を前記保持体３の取付穴２に嵌合固定したことを特徴とするレーザー墨出し装置に係る。
【０００８】
また、請求項２に係る発明は、保持体３に垂直方向のラインを表示する垂直ビーム投射器１Ａを嵌合する傾斜した取付穴２Ａと、水平方向のラインを表示する水平ビーム投射器１Ｂを嵌合する水平な取付穴２Ｂとが設けられている請求項１に記載のレーザー墨出し装置に係る。
【０００９】
また、請求項３に係る発明は、保持体３の円周上に、垂直ビーム投射器１Ａを嵌合する取付穴２Ａが９０度間隔で４個穿孔され、該垂直ビーム投射器取付穴２Ａの間隔部に水平ビーム投射器１Ｂを嵌合する取付穴２Ｂが４個穿孔されている請求項２に記載のレーザー墨出し装置に係る。
【００１０】
また、請求項４に係る発明は、垂直ビーム投射器取付穴２Ａ及び水平ビーム投射器取付穴２Ｂには、保持体３の外面から該取付穴２Ａ，２Ｂの内壁面に通ずる垂直ビーム投射器姿勢調整用ねじ部２Ａａ及び水平ビーム投射器姿勢調整用ねじ部２Ｂｂがそれぞれ設けられてなる請求項１乃至３のいずれかに記載のレーザー墨出し装置に係る。
【００１１】
また、請求項５に係る発明は、垂直ビーム投射器姿勢調整用ねじ部２Ａａは、垂直ビーム投射器１Ａを取付穴２Ａ内において周方向に調整するための周方向調整用ねじ部２Ａａ1 と垂直ビーム投射器１Ａを左右水平方向に調整するための水平方向調整用ねじ部２Ａａ2 とからなる請求項４に記載のレーザー墨出し装置に係る。
【００１２】
また、請求項６に係る発明は、水平ビーム投射器姿勢調整用ねじ部２Ｂｂは、水平ビーム投射器１Ｂを取付穴２Ｂ内において周方向に調整するための周方向調整用ねじ部２Ｂｂ1 と、水平ビーム投射器１Ｂを上下に調整するための上下方向調整用ねじ部２Ｂｂ2 とからなる請求項４に記載のレーザー墨出し装置に係る。
【発明の効果】
【００１３】
請求項１に記載の本発明に係るレーザー墨出し装置によれば、概略カップ状の保持器の円周上に精密加工によって正確な位置に設けた取付穴に円筒状のビーム投射器を嵌合して取り付けるものであるから、投射部であるビーム投射器を正確に位置決めした状態で保持体に取り付けることができる。従って、ビーム投射器を保持体の取付穴に嵌合するだけでビーム投射器を所定の位置に正確に取り付けられたことになるから、面倒な位置合わせを原則として必要としない。
【００１４】
また、請求項２に係る発明によれば、上記請求項１に記載の墨出し装置の構成に加えて、保持体に垂直方向のラインを表示する垂直ビーム投射器を嵌合する傾斜した取付穴と、水平方向のラインを表示する水平ビーム投射器を嵌合する水平な取付穴とが設けられているため、垂直ライン用の投射器と水平ライン用の投射器を共に取り付けることができるので、複数のラインを組み合わせて表示することができる。
【００１５】
また、請求項３に係る発明によれば、上記請求項１又は２に記載の墨出し装置の構成に加えて、保持体の円周上に、垂直ビーム投射器を嵌合する取付穴が９０度間隔で４個穿孔され、該垂直ビーム投射器取付穴の間隔部に水平ビーム投射器を嵌合する取付穴が４個穿孔されているため、全方位にラインを表示することが可能となり、複数のレーザー墨出し装置を用いることなく、天井や壁などの対象物の墨出し作業が簡便に且つ精度良く行うことができる。
【００１６】
また、請求項４に係る発明によれば、請求項１乃至３のいずれかに構成に加えて、垂直ビーム投射器取付穴及び水平ビーム投射器取付穴には、保持体の外面から該取付穴の内壁面に通ずる垂直ビーム投射器姿勢調整用ねじ部及び水平ビーム投射器姿勢調整用ねじ部がそれぞれ設けられてなるため、請求項１の構成により、ビーム投射器を保持体の取付穴に嵌合するだけでビーム投射器を所定の位置に正確に取り付けられたことになるから、面倒な位置合わせを原則として必要としないのであるが、ビーム投射器、取付穴あるいはビーム投射器の製作誤差や取付誤差等で若干の位置合わせに微小な誤差が発生している場合に、これら姿勢調整用ねじ部を操作することによって、ビーム投射器を正確な取付位置に微調整ことができる。しかも、これらのねじ部はビーム投射器の保持体に対する固定手段ともなる。
【００１７】
また、請求項５に係る発明は、また上記姿勢調整用ねじ部のうち、垂直ビーム投射器姿勢調整用ねじ部は、垂直ビーム投射器を取付穴において周方向に調整するための周方向調整用ねじ部と垂直ビーム投射器を左右水平方向に調整するための水平方向調整用ねじ部とからなるため、前者の周方向調整用ねじ部によって、垂直ビーム投射器を取付穴内において周方向に若干回動調整することによって、該垂直ビーム投射器から投射される垂直ラインの垂直度を正確に微調整することができる。  また、後者の水平方向調整用ねじ部によって、垂直ビーム投射器を取付穴内において、左右水平方向に調整することによって、該垂直ビーム投射器から投射される垂直ラインの左右方向への微調整を正確に行うことができる。即ち、垂直ビーム投射器の取付精度を更に向上させることができる。
【００１８】
また、請求項６に係る発明は、また上記姿勢調整用ねじ部のうち、水平ビーム投射器姿勢調整用ねじ部は、水平ビーム投射器を取付穴において周方向に調整するための周方向調整用ねじ部と、水平ビーム投射器を上下に調整するための上下方向調整用ねじ部とからなるため、前者の周方向調整用ねじ部によって、水平ビーム投射器を取付穴内において周方向に若干回動調整することによって、該水平ビーム投射器から投射される水平ラインの水平度を正確に微調整することができる。
【００１９】
また、後者の上下方向調整用ねじ部によって、水平ビーム投射器を取付穴内において、上下方向に調整することによって、該水平ビーム投射器から投射される水平ラインを上下方向への微調整を正確に行うことができる。即ち、水平ビーム投射器の取付精度を更に向上させることができる。
【発明を実施するための最良の形態】
【００２０】
以下本発明の実施形態について、具体的に説明すると、図１はレーザー墨出し装置の要部を示すもので、複数のビーム投射器１、具体的には垂直ビーム投射器１Ａと、水平ビーム投射器１Ｂと、これらビーム投射器１が取付穴２に、具体的には垂直ビーム投射器取付穴２Ａおよび水平ビーム投射器取付穴２Ｂに嵌合することによって取り付けられる後述の保持体３と、該保持体３を正確に一体に支持する支持枠４と、該支持枠４の底部を構成する可動台５と、該可動台５に吊持支柱６を介して可動台５に一体に吊持される電子式水準器７とが、レーザービーム投射器ユニット８として、脚体９ａを備えた基台９に球軸受１０を介して支持されている。球軸受１０は、周知のように球体１０ａと該球体１０ａに一体に取り付けたボルト１０ｂと可動台５を球軸受１０側に押圧するスプリング１０ｃと球体１０ａが接する基台９側の凹状球面１０ｄによって形成される。
【００２１】
従って、レーザービーム投射器ユニット８、従って保持体３は球軸受１０を中心に基台９上を３６０°範囲にわたって揺動可能に支持されている。
【００２２】
そして、可動台５には水平方向に軸体１１（Ｘ軸）が取り付けられており、これが二股状の係合部材１２に係合し、該係合部材１２は駆動ボルト１３にねじ込まれ、該駆動ボルト１３は支持枠１４に支持された状態でＸ軸用モーター１５によって回転駆動される。従って、保持体３は、Ｘ軸用モーター１５による駆動ボルト１３の回転駆動及びこれにねじ込まれる係合部材１２のねじナット作用によって、Ｘ軸に直交するＹ軸を支点として上下に揺動駆動される。さらに図示しないが、Ｘ軸に直交するＹ軸方向にも、同様に軸体（Ｙ軸）、二股状の係合部材、駆動ボルト、支持枠およびＹ軸用モーターが設けられ、保持体３はＹ軸用モーターによってＹ軸に直交するＸ軸を支点として上下に揺動駆動されるようになっている。
【００２３】
基台９に支持されるレーザービーム投射器ユニット８、従って保持体３が水準位置に保持されていない場合には、これと一体の電子式水準器７に設けた信号処理装置からの信号によって、ＸＹ軸用モータ１５が駆動して、保持体３が常に水準位置の状態に保持されるよう修正するようになっている。なお、電子式水準器７は透明液と気泡を封入した気泡管の一側に投光体（発光素子）を設け、他方側に受光素子を設けたもので、気泡の移動による受光体の受光量の変化から傾斜度を検出するようになっている。
【００２４】
以上の構成によって、レーザービーム投射器ユニット８の保持体３は、墨出し装置を設置した床面の傾きに関係なく水平に保持され、各ビーム投射器１による墨出し作業を高精度に行わせることができるのである。
【００２５】
つぎに、前記レーザービーム投射器ユニット８は、前述のように本体部である保持体３と、該保持体３に取り付けられる複数のビーム投射器１とを備え、図２〜図４は、本発明の要部である保持体３とビーム投射器１との詳細構造を示すものである。
【００２６】
保持体３は、アルミ合金等を材質として高精度な加工で製作されるもので、平面視円形で内部が中空で有底の概略カップ状であり、周壁部１６と、底壁部１７と、周壁部１６と底壁部１７とに囲繞された中空部１８とからなり、周壁部１６は内面が断面垂直な円周内面１６ａとなっており、外周面は上下中間部が最も径の大きい断面垂直の円周外面１６ｂで、その上側は上位が小径となる傾斜面１６ｃ、下側は下位が小径となる傾斜面１６ｄとしてそれぞれ形成されている。また底壁部１７にはその中心部に配線穴１７ａが形成され、その周囲に複数のビス挿通穴１７ｂが形成され、該挿通穴１７ｂからねじ込まれるねじによって、底壁部１７が前述の支持枠４にねじ止めされるようになっている。また中空部１８にはビーム投射器１を駆動させるための配線群が前述の配線穴１７ａ等から引き出されて納められ、該配線群は図示しない電源（乾電池）等に繋がれている。
【００２７】
保持体３の周壁部１６には２種類の取付穴２、具体的には前述のように垂直ビーム投射器取付穴２Ａと水平ビーム投射器取付穴２Ｂが精密加工によって穿孔されている。垂直ビーム投射器取付穴２Ａは、図４に示すように、垂直ビーム投射器１Ａを取り付けるための穴で、外面側が高く内面側が低くなるように傾斜している。この傾斜角は、所望の位置に所望のラインが表示されるような角度とすればよい。また、水平ビーム投射器取付穴２Ｂは、水平ビーム投射器１Ｂを取り付けるための穴で、外面側から内面側にかけて水平に穿孔されている。
垂直ビーム投射器取付穴２Ａは、図３及び図４に示すように、４個が９０度間隔で設けられており、水平ビーム投射器取付穴２Ｂも、同様に４個が９０度間隔で設けられている。図３に示すように、垂直ビーム投射器取付穴２Ａは、保持体３の中心Ｏを通って互いに直交する直線上にそれぞれ設けられており、水平ビーム投射器取付穴２Ｂも同様に保持体３の中心を通って互いに直交する直線上にそれぞれ設けられていて、垂直ビーム投射器取付穴２Ａの位置と水平ビーム投射器取付穴２Ｂの位置とは４５度位相がずれている。
【００２８】
一方、保持体３の取付穴２Ａ，２Ｂに嵌合して取り付けられるビーム投射器１は、図３の左上に図示するように、円筒状の外形を有する本体部１ａと、その内部に回路付き半導体レーザーＬＤ、レンズカバー１ｂ、光ビームをライン光に変換する円柱状のロッドレンズ（シリンドリカルレンズ）１ｃ等が設けられている。
【００２９】
このロッドレンズ１ｃは、保持体３の傾斜面１６ｃに上向きに取り付けられた垂直ビーム投射器１Ａにあっては、図示４に示すように、その長手方向が水平になるよう取り付けられ、これによって、図１またはず４に示すように、垂直に薄板状のレーザービームＬＢが投射され、壁面等に垂直ラインが表示される。また、保持体３の円周外面１６ｂに水平方向に取り付けられた水平ビーム投射器１Ｂには、ロッドレンズ１ｃは、図３に示すように、その長手方向が上下になるよう取り付けられ、これによって、図１または図４に示すように、水平に薄板状のレーザービームＬＢが投射され、壁面等に水平ラインが表示される。
【００３０】
ビーム投射器１は、すべて同一の形状・寸法となっており、垂直ライン用のビーム投射器１Ａと水平ライン用のビーム投射器１Ｂとは、前述のようにロッドレンズ１ｃの向きが互いに相違していて、一方は水平、他方は上下となっており、これはビーム投射器１を取付穴２に嵌合する際に単に９０度位相差を変えて取り付けるだけでよい。このように、全てのビーム投射器１が同一形状・寸法となっているため当然に量産に適すると共に、組立作業が容易である。
【００３１】
図５は、保持体３に周方向にそれぞれ４個の垂直ビーム投射器１Ａと水平ビーム投射器１Ｂとを交互に取り付けた場合における各ビーム投射器１Ａ，１Ｂから投射されるレーザービームＬＢとこれによって対象物に投影されるライン光とを表す軌跡図である。
【００３２】
まず４個の垂直ビーム投射器１Ａのうち、互いに対向する一対の垂直ビーム投射器１Ａ，１Ａによって、それぞれ垂直方向に略半円弧状の軌跡を描き、垂直に薄板状のレーザービームＬＢａが投射され、この略半円弧状の軌跡を描く両レーザービームＬＢａは、その頂部付近で繋がれて円弧状の軌跡を描く垂直レーザービームＬＢとなり、壁面等に垂直ラインＰＡとして表示される。これがために、例えばレーザー墨出し装置を部屋の中心部の床に設置してレーザービームＬＢを投射することによって一方側の壁面から天井面を経て他方の壁面に対して垂直ラインＰＡを表示することができる。
【００３３】
さらに上記一対の垂直ビーム投射器１Ａに対してこれに９０度の位相差で設けられる一対の垂直ビーム投射器１Ａによっても前記垂直ラインＰＡに対して９０度の位相差を持って垂直ラインＰＡが表示されることはいうまでもない。
【００３４】
ところで、このように互いに対向する一対の垂直ビーム投射器１Ａによって、その互いの略半円弧状の軌跡を描く両レーザービームＬＢが、その頂部付近で繋がれて精密な円弧状の軌跡を描く垂直レーザービームＬＢとなるためには、各垂直ビーム投射器１Ａが正確に保持体３の取付穴２に取り付けられなければならない。
【００３５】
また４個の水平ビーム投射器１Ｂがそれぞれ水平方向に略四半円弧状の軌跡を描き、水平に薄板状のレーザービームＬＢｂが投射され、この略四半円弧状の軌跡を描く両レーザービームＬＢｂは、その各レーザービームＬＢ端で互いに繋がれて周囲に繋がった軌跡を描く水平レーザービームＬＢとなり、壁面等に連続した水平ラインＰＢとして表示される。これがために、例えばレーザー墨出し装置を部屋の中心部の床に設置してレーザービームＬＢを投射することによって四方の壁面全域に連続した垂直ラインＰＢを表示することができる。
【００３６】
ところで、このように互いに対向する２対の水平ビーム投射器１Ｂによって、その互いの略四半円弧状の軌跡を描くレーザービームＬＢが、そのレーザービームＬＢ端部付近で繋がれて精密に水平周囲に連続した軌跡を描く水平レーザービームＬＢとなるためには、各水平ビーム投射器１Ｂが正確に保持体３の取付穴２に取り付けられなければならない。
【００３７】
この本発明においては、ビーム投射器１を保持体３の取付穴２に嵌合するだけでビーム投射器１を所定の位置に正確に取り付けられたことになるから、面倒な位置合わせを原則として必要としないのであるが、ビーム投射器１、取付穴２あるいはビーム投射器１の製作誤差や取付誤差等が発生している場合には、上記ような正確な垂直ラインあるいは水平ラインを対象物に対して投影できない恐れがある。
【００３８】
そこで、この実施形態においては、図２および図３に点々散設して表れているように、保持体３にはビスねじ込み用のねじ部が多数形成されている。即ち、保持体３に形成した垂直ビーム投射器取付穴２Ａ及び水平ビーム投射器取付穴２Ｂに対して、保持体３の外面から該取付穴２Ａ，２Ｂの内壁面に通ずる垂直ビーム投射器姿勢調整用ねじ部２Ａａ及び水平ビーム投射器姿勢調整用ねじ部２Ｂｂがそれぞれ設けられている。
【００３９】
これら姿勢調整用ねじ部を操作することによって、ビーム投射器１を保持体３に正確な取付に取り付けるよう微調整を行うことができる。しかも、これらのねじ部はビーム投射器の保持体に対する固定手段ともなっている。
【００４０】
具体的には、垂直ビーム投射器姿勢調整用ねじ部２Ａａは、図６に示すように構造となっており、図６（ａ）に示すように、垂直ビーム投射器１Ａが保持体３の垂直ビーム投射器取付穴２Ａに嵌合された状態で、その嵌合誤差が存在する場合には、図６の（ｂ）に示すように、垂直ビーム投射器１Ａを取付穴２Ａ内において周方向に調整するための周方向調整用ねじ部２Ａａ1 が設けられているため、図示のようにビーム投射器１Ａの胴部を挟んで形成される縦方向の一対のねじ穴１９ａ，１９ａにねじ込んだねじ２０ａ，２０ａのねじ込み量を調整することによって、ビーム投射器１Ａを矢印で示すように周方向に若干量回転させて、図５に示す垂直レーザービームＬＢによって形成される垂直ラインＰＡの垂直度を微調整し、その位置で固定させるようにすればよい。
【００４１】
また、図６の（ｃ）に示すように、垂直ビーム投射器１Ａを左右水平方向に調整するための水平方向調整用ねじ部２Ａａ2 が設けられているため、図示のようにビーム投射器１Ａの胴部を挟んで左右水平方向に対向して形成される水平方向の一対のねじ穴１９ｂ，１９ｂにねじ込んだねじ２０ｂ，２０ｂのねじ込み量を左右に調整することによって、ビーム投射器１Ａを矢印で示すように左右水平方向に若干量移動させて、図５に示す垂直レーザービームＬＢによって形成される垂直ラインＰＡの左右方向への移動量の微調整を行い、その位置で固定するようにすればよい。
【００４２】
さらに、水平ビーム投射器姿勢調整用ねじ部２Ｂｂは、図７に示す構造となっており、図７（ａ）に示すように、水平ビーム投射器１Ｂが保持体３の水平ビーム投射器取付穴２Ｂに嵌合された状態で、その嵌合誤差が存在する場合には、図７の（ｂ）に示すように、水平ビーム投射器１Ｂを取付穴２Ｂ内において周方向に調整するための周方向調整用ねじ部２Ｂｂ1 が設けられているため、図示のようにビーム投射器１Ｂの胴部を挟んで形成される縦方向の一対のねじ穴１９ｃ，１９ｃにねじ込んだねじ２０ｃ，２０ｃのねじ込み量を調整することによって、ビーム投射器１Ｂを矢印で示すように周方向に若干量回転させて、図５に示す水平レーザービームＬＢによって形成される水平ラインＰＢの水平度を微調整し、その位置で固定させるようにすればよい。
【００４３】
また、図７の（ｃ）に示すように、水平ビーム投射器１Ｂを上下縦方向に調整するため水平ビーム投射器１Ｂを取付穴２Ｂ内において上下方向に調整するための上下方向調整用ねじ部２Ｂｂ2 が設けられているため、図示のようにビーム投射器１Ｂの胴部上面に接するよう周壁部１６の円周内面側と円周外面側とに形成される縦方向の一対のねじ穴１９ｄ，１９ｄにねじ込んだねじ２０ｄ，２０ｄのねじ込み量を調整することによって、ビーム投射器１Ｂを矢印で示すように上下方向に若干量移動させて、図５に示す水平レーザービームＬＢによって形成される水平ラインＰＢの上下方向の位置を微調整し、その位置で固定させるようにすればよい。
【００４４】
即ち、これらの微調整手段によって、垂直ビーム投射器１Ａと水平ビーム投射器１Ｂの取付穴２Ａ，２Ｂに対する取付精度を更に向上させることができる。
【産業上の利用可能性】
【００４５】
以上の説明から明らかなように、本発明に係る墨出し装置は、複数のビーム投射器１と、これを固定・保持する一つのカップ状の保持体３とを備え、ビーム投射器１を保持体３に設けた取付穴２に嵌合することにより、該ビーム投射器１を所定角度で取り付けるので、ビーム投射角度を正確なものとすることができ、各種建築現場等で墨出し作業に好適に使用することができるものである。
【図面の簡単な説明】
【００４６】
【図１】レーザー墨出し装置の要部を示す正面図である。
【図２】レーザー墨出し装置の要部であるレーザービーム投射器ユニットの斜視図である。
【図３】同平面図である。
【図４】図３のＡーＡ線断面図である。
【図５】４個の垂直ビーム投射器と４個の水平ビーム投射器によるレーザービームおよびこれによって対象物に投影される垂直・水平ラインの軌跡を描く図面である。
【図６】垂直ビーム投射器の取付穴に対する微調整取り付け構造を示すもので、（ａ）は正面図、（ｂ）は（ａ）図のｂーｂ線断面図、（ｃ）は（ａ）図のｃーｃ線断面図である。
【図７】水平ビーム投射器の取付穴に対する微調整取り付け構造を示すもので、（ａ）は斜面図、（ｂ）は（ａ）図のｂーｂ線断面図、（ｃ）は（ａ）図のｃーｃ線断面図である。
【符号の説明】
【００４７】
１        ビーム投射器
１Ａ      垂直ビーム投射器
１Ｂ      水平ビーム投射器
２        取付穴
２Ａ      垂直ビーム投射器取付穴
２Ａａ    垂直ビーム投射器姿勢調整用ねじ部
２Ａａ1   周方向調整用ねじ部
２Ａａ2   水平方向調整用ねじ部
２Ｂ      水平ビーム投射器取付穴
２Ｂｂ    水平ビーム投射器姿勢調整用ねじ部
２Ｂｂ1   周方向調整用ねじ部
２Ｂｂ2   上下方向調整用ねじ部
３        保持体
【図１】
2005331351.tif 000003
【図２】
2005331351.tif 000004
【図３】
2005331351.tif 000005
【図４】
2005331351.tif 000006
【図５】
2005331351.tif 000007
【図６】
2005331351.tif 000008
【図７】
2005331351.tif 000009